(57)【特許請求の範囲】
【請求項１】
異なる複数の設定場所に対して環境に関する設定項目の設定状態を別々に調整できる環境調整装置であって、
表示部を備え、
その表示部に、前記設定項目に対応した実際の状態を示す実状態情報として、設定場所に位置する人の顔を含む画像が前記複数の設定場所別に同時に表示され、且つ、前記設定項目に対応した実状態情報と対比可能に、その設定項目の設定状態を示す設定状態情報も表示されることを特徴とする環境調整装置。
【請求項２】
請求項１において、
複数の設定場所から設定項目の設定状態を調整する設定場所を選択する選択操作に連動して、前記表示部に表示されている複数の実状態情報のうち、前記選択操作によって選択された設定場所に対応する実状態情報が強調表示されることを特徴とする環境調整装置。
【請求項３】
請求項１または２において、
複数の設定場所別の前記設定状態情報も互いに対比可能に前記表示部に表示されることを特徴とする環境調整装置。
【請求項４】
請求項３において、
複数の設定場所別の前記設定状態情報は、グラフ表示されることで互いに対比可能となっていることを特徴とする環境調整装置。
【請求項５】
請求項４において、
複数の設定場所の設定状態情報のうち、前記選択操作によって選択された設定場所に対応する設定状態情報は、前記グラフ表示とは別に数値表示も行なわれることを特徴とする環境調整装置。
【請求項６】
請求項１〜５のいずれか１項において、
前記複数の設定場所がいずれも車両の車室内であって、少なくとも一つの設定場所が運転席を含まない場所であり、
前記設定状態の調整は運転席の乗員が行なえるようになっており、且つ、前記表示部は運転席前方に設けられることを特徴とする環境調整装置。
【請求項７】
請求項１〜６のいずれか１項において、
前記複数の設定場所に対して、一括して設定状態の調整を行えるようにもなっていることを特徴とする環境調整装置。
【発明の詳細な説明】
【技術分野】
【０００１】
本発明は、空気環境や音環境などの環境を調整する環境調整装置に関し、特に、複数の設定場所の環境を別々に調整できる環境調整装置に関する。
【背景技術】
【０００２】
異なる複数の場所の環境を別々に調整可能な装置が知られている。たとえば、特許文献１の装置は、車室内の前部と後部に対して独立に温度調節が可能である。その他にも、車室内の座席別に音量や音質などの音環境を調節可能な装置も知られている。温度環境や音環境などを場所別に調節する場合、場所別に、温度等の設定項目の設定値を設定することになる。
【特許文献１】特開平６−１４３９７５号公報
【発明の開示】
【発明が解決しようとする課題】
【０００３】
設定者が場所別に温度等の設定項目の設定値を設定する場合、設定値を適切に設定する必要がある。そのためには、設定者が場所別に温度等の実際の状態を確認することが好ましいが、設定者が場所別に実際の状態を確認することは困難な場合が多い。
【０００４】
たとえば、車両の運転者が運転席にて車室内の複数の場所別の環境を設定する場合、運転席から離れて後席まで移動して後席の環境を確認することは困難である。そのため、後席の実際の環境を想像しながら設定を行うことになる。また、後を振り向いて、後席の乗員の様子を確認しつつ設定を行うことも想定されるが、前方から視線をそらすことになるので安全運転の面から好ましくない。
【０００５】
本発明は、この事情に基づいて成されたものであり、その目的とするところは、離れた設定場所に対する設定項目を適切に設定することができる環境調整装置を提供することにある。
【課題を解決するための手段】
【０００６】
その目的を達成するための請求項１記載の発明は、異なる複数の設定場所に対して環境に関する設定項目の設定状態を別々に調整できる環境調整装置であって、表示部を備え、その表示部に、前記設定項目に対応した実際の状態を示す実状態情報として、設定場所に位置する人の顔を含む画像が前記複数の設定場所別に同時に表示され、且つ、前記設定項目に対応した実状態情報と対比可能に、その設定項目の設定状態を示す設定状態情報も表示されることを特徴とする。
【０００７】
このようにすれば、設定場所の設定項目に対応した実状態情報として、設定場所に位置する人の顔を含む画像が表示部に表示される。設定項目の種類によらず、人の表情には、環境を反映した反応が現れる。そのため、表示部に人の顔を含む画像を表示することで、設定者は、離れた場所である設定場所に位置する人の反応を確かめつつ設定項目の設定状態を調整することができる。しかも、表示部には、複数の設定場所別に設定場所に位置する人の顔の画像が同時に表示されることから、複数の設定場所に対する設定状態の調整の要否を容易に判断することができる。また、実状態情報として、設定場所に位置する人の顔を含む画像が表示されるので、複数の実状態情報を迅速に把握することができる。
【０００８】
また、表示部には、前記設定項目に対応した実状態情報と対比可能に、その設定項目の設定状態を示す設定状態情報も表示される。このようにすれば、設定者は、設定項目に対応した実状態情報とその設定項目の設定状態情報とを対比できるので、設定状態の調整の要否を適切に判断することができる。
【０００９】
請求項２記載の発明は、請求項１において、複数の設定場所から設定項目の設定状態を調整する設定場所を選択する選択操作に連動して、前記表示部に表示されている複数の実状態情報のうち、前記選択操作によって選択された設定場所に対応する実状態情報が強調表示されることを特徴とする。このようにすれば、設定状態を調整しようとしている設定場所に対する設定状態情報と実状態情報とが容易に対比可能となる。
【００１０】
請求項３記載の発明は、請求項１または２において、複数の設定場所別の前記設定状態情報も互いに対比可能に前記表示部に表示されることを特徴とする。このようにすれば、設定項目に対応した実状態情報とその設定項目の設定状態情報とが対比可能であるとともに、複数の設定場所別の設定状態情報も互いに対比可能であることから、設定状態の調整に際して、他の設定場所における実設定状態と設定状態情報との対比結果を参考にすることができる。
【００１１】
請求項４記載の発明は、請求項３において、複数の設定場所別の前記設定状態情報は、グラフ表示されることで互いに対比可能となっていることを特徴とする。このように、複数の設定場所別の設定状態情報がグラフ表示されると、設定状態情報を相互に比較することが容易になる。
【００１２】
請求項５記載の発明は、請求項４において、複数の設定場所の設定状態情報のうち、前記選択操作によって選択された設定場所に対応する設定状態情報は、前記グラフ表示とは別に数値表示も行なわれることを特徴とする。このようにすれば、選択された設定場所に対する設定状態の調整を行い易くなる。
【００１６】
請求項６記載の発明は、前記複数の設定場所がいずれも車両の車室内であって、少なくとも一つの設定場所が運転席を含まない場所であり、前記設定状態の調整は運転席の乗員が行なえるようになっており、且つ、前記表示部は運転席前方に設けられることを特徴とする。前述のように、運転者が運転席から離れて他の場所の環境を確認することは困難であるため、表示部に、複数の設定場所別に、設定項目に対応した実状態情報を表示する意義が大きい。
【００１７】
請求項７記載の発明は、前記複数の設定場所に対して、一括して設定状態の調整を行えるようにもなっていることを特徴とする。このようにすれば、全ての設定場所に対して同じ設定を行うことが容易になる。
【発明を実施するための最良の形態】
【００１８】
以下、本発明の実施形態を図面に基づいて説明する。図１は、本発明の実施形態となる環境調整装置１の全体構成を示すブロック図であり、図２は、この環境調整装置１の各部材の配置を概念的に示す図である。なお、図２に示すように、この環境調整装置１は、車両に搭載されるものである。
【００１９】
図１に示すように、環境調整装置１は、４つのブロア１０ａ〜１０ｄおよび４つのスピーカ２０ａ〜２０ｄを備えており、各ブロア１０ａ〜１０ｄに対して空調ユニット３０ａ〜３０ｄが設けられており、各スピーカ２０ａ〜２０ｄに対してアンプ４０ａ〜４０ｄが設けられている。
【００２０】
空調ユニット３０ａ〜３０ｄは、互いに独立に空気質（温度、湿度など）を調整可能であり、調整した空気を対応するブロア１０から吹き出させる。また、空調ユニット３０はブロア１０から吹き出させる空気量すなわち風量も制御可能に構成されている。アンプ４０ａ〜４０ｄも互いに独立に動作し、対応するスピーカ２０ａ〜２０ｄから出力する音量および音質を制御する。
【００２１】
これら４つのブロア１０ａ〜１０ｄおよび４つのスピーカ２０ａ〜２０ｄは、各座席に対して設けられている。従って、本実施形態の環境調整装置１では、各座席およびその周辺の空間を一つの設定場所としている。また、空気質および音質を設定項目としている。
【００２２】
また、環境調整装置１は、４つのカメラ５０ａ〜５０ｄおよび４つの温度センサ６０ａ〜６０ｄも備えている。これらも各座席に対して設けられており、各カメラ５０ａ〜５０ｄは、各座席に乗員が着座したときに、その乗員の顔を撮像できるように撮像範囲が設定されている。また、各温度センサ６０ａ〜６０ｄは、各座席の周辺温度を検出できる位置に配置されている。４つのカメラ５０ａ〜５０ｄによって撮像された４つの画像は画像合成機７０によって合成されて、合成後の画像を示す画像信号はＥＣＵ８０へ出力される。また、温度センサ６０ａ〜６０ｄによって検出された温度を示す温度信号もＥＣＵ８０へ出力される。
【００２３】
ディスプレイ９０は請求項の表示部に相当するものであり、運転席前方（真正面または斜め前方）に設けられており、画像や図形表示が可能に構成されている。
【００２４】
操作部１００は、運転者が操作可能な位置（すなわち、ディスプレイ９０を見つつ操作可能な位置）に配置されている。この操作部１００は、各座席の空気質および音質を設定する際に運転者が操作するものであり、４つの座席から設定項目（空気質、音質）の設定値を調整する座席を選択する選択操作が可能に構成されている。なお、本実施形態では、設定値、すなわち、設定状態を値で設定することとしているが、設定状態は、高低や大小など定性的なものでもよい。
【００２５】
ＥＣＵ８０は、ＣＰＵ、ＲＯＭ、ＲＡＭ等を備えたコンピュータであり、操作部１００からの入力された指示に従い、空調ユニット３０、アンプ４０、画像合成機７０、ディスプレイ９０を制御する。
【００２６】
具体的には、ＥＣＵ８０は、空調ユニット３０の制御に関しては、操作部１００における選択操作によって選択された座席に対応する空調ユニット３０に、操作部１００の操作によって定まる設定値（温度、湿度、風量の値）を出力する。また、アンプ４０の制御に関しては、操作部１００における選択操作によって選択された座席に対応するアンプ４０に、操作部１００の操作によって定まる設定値（音量や音質の値）を出力する。画像合成機７０の制御に関しては、操作部１００における選択操作によって選択された座席に対応する画像が他の座席の画像よりも相対的に強調表示された合成画像を生成させ、その合成画像の信号を取得してディスプレイ９０の合成画像表示領域にその合成画像を表示する。なお、いずれの座席も選択されていない場合には、全ての座席の画像の強調程度が均しい合成画像を生成させる。
【００２７】
ディスプレイ９０の制御に関しては、上述のように、４つの座席の画像を合成した合成画像をディスプレイ９０の合成画像表示領域に表示させる。図３は、ディスプレイ９０の合成画像表示領域９１に画像が表示された例を示す図である。図３の例では、ディスプレイ９０の幅方向中央に合成画像表示領域９１が設けられている。この合成画像表示領域９１は、より詳細には、各座席の画像を表示する４つの領域９１ａ〜９１ｄに分けられている。なお、図３の例では、領域９１ａが運転席の画像であり、領域９１ｂが助手席の画像であり、領域９１ｃが右後席の画像であり、領域９１ｄが左後席の画像であり、いずれの座席も選択されていない状態である。
【００２８】
また、図３の例では、運転者の眠気センサ（具体的には脈拍センサ）の信号波形も眠気波形表示領域９２に表示されている。この図３のように、眠気センサの信号波形を表示する場合には、図１に示した構成に加えて、眠気センサを運転者に装着可能に備えることになる。また、図３には示されていないが、所定の温度表示操作が操作者によって行われることにより、温度センサ６０ａ〜６０ｄによって検出された各座席付近の温度もディスプレイ９０に表示される。
【００２９】
また、操作部１００にて設定項目を調整するための操作が行われた場合には、ＥＣＵ８０は、その設定項目の各座席の設定値を示すレーダーチャート９３を合成画像表示領域９１に重畳表示する。さらに、１つの座席が選択された場合には、前述のように、選択された座席に対応する画像が他の座席の画像よりも相対的に強調表示された合成画像を表示させる。加えて、ディスプレイ９０の所定位置（本実施形態では合成画像表示領域の中央）に、その選択された座席に対応する設定項目の設定値（数値）を表示する。
【００３０】
図４および図５は、この状態の一例であり、いずれの図も、助手席が選択された場合の例であり、図４は設定項目として音量が選択された例であり、図５は設定項目として温度が選択された場合の例である。図４、５の例では、選択されていない座席の画像をそれまでよりも暗く表示することで、助手席の画像を相対的に強調表示している。この場合、助手席の画像が相対的に強調表示されることにより、助手席が設定場所として選択されていることが一見して判断可能であることに加えて、助手席を選択中も他の座席の画像を引き続き確認することができる。また、レーダーチャート９３の形状から、各座席の音量または温度の設定状態を相互に比較することが容易になる。
【００３１】
本実施形態では、設定値を調整する座席の選択と、強調表示する画像の選択とが連動しており、図４や図５に示す状態から、操作部１００を操作して、他の座席を選択する操作を行うことで、その新たに選択された座席に対して設定値を調整できる状態となるとともに、新たに選択された座席の画像が自動的に相対的に強調表示される。このように、設定値を調整する座席を選択することに連動して、選択された座席に対応する画像が強調表示されるので、設定値を調整しようとする座席の設定値と、その座席の画像とが容易に対比可能となる。また、選択された座席の設定値は数値表示でも表示されるので、選択された座席に対する設定値の調整を行い易くなる。
【００３２】
また、本実施形態の環境調整装置１では、全ての座席に対する設定値を一括して調整可能にもなっている。全ての座席に対する設定値を一括して調整する場合、所定の操作を行うことで、図６に示すように、レーダーチャート９３は、各座席に対する設定値が等しいことを示す形状となる。その後は、一つの座席に対して設定値を調整する操作と同一の操作で、破線や一点鎖線に示すように、設定値が一括して変化する。そのため、全ての座席に対して同じ設定を行うことが容易である。
【００３３】
図７は、ＥＣＵ８０における設定値の更新処理を示すフローチャートである。ステップＳ１０では、操作部１００からの操作に基づいて、設定場所すなわち座席の選択を行う。そして、ステップＳ２０では、ステップＳ１０にて選択した設定場所の画像を強調表示した合成画像を合成画像表示領域９１に表示させる。
【００３４】
続くステップＳ３０では、設定値を、操作部１００が操作されることによって定まる設定値に更新する。そしてステップＳ４０では、設定値の調整操作が完了したか否かを判断する。この判断は、たとえば、操作部１００が一定時間操作されなかったことをもって調整操作完了と判断する。また、操作部１００にて所定の完了操作が行われたことをもって調整操作完了と判断してもよい。
【００３５】
このステップＳ４０の判断が否定判断である場合にはステップＳ２０へ戻る。一方、肯定判断である場合には設定値の更新処理を終了する。この後は、新たな設定値に基づく制御を実行することになる。
【００３６】
以上、説明した本実施形態によれば、各座席の画像がディスプレイ９０に表示されるので、運転者は、運転席以外の座席に着座している乗員の表情を確認しつつ、運手席以外の座席の設定項目の設定値を調整することができる。従って、たとえば、設定項目として温度を調整する場合、温度の設定値を調整する対象となっている座席の乗員の表情を確認しつつ、その設定値を調整することができ、また、乗員が寝ていることが画像から判断できれば、温度の設定値を下げることができるなど、運転席以外の設定値を適切に調整することができる。しかも、ディスプレイ９０には、各座席の画像が同時に表示されることから、各座席に対する設定値の調整の要否を容易に判断することができる。
【００３７】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００３８】
たとえば、前述の実施形態では、各座席の画像を実状態情報として表示していたが、これに限らず、各座席の乗員の体温を図形表示または画像表示してもよい。この場合、たとえば、各座席に対してサーモカメラを備え、サーモカメラで撮影した画像を表示させる。また、脈拍波形を乗員の画像に代えて表示するようにしてもよい。また、温度などの設定項目の実測値を実状態情報として図形表示してもよい。
【００３９】
また、空気質として、温度、湿度に加えて、香りを調整できるようになっていてもよいし、空気質、音質以外の環境を調整できるようになっていてもよい。
【００４０】
また、前述の実施形態では、選択されていない座席の画像をそれまでよりも暗く表示することで、選択された座席の画像を相対的に強調表示していたが、ある座席が選択された場合、その選択された座席の画像のみを表示するようにしてもよい。
【図面の簡単な説明】
【００４１】
【図１】本発明の実施形態となる環境調整装置１の全体構成を示すブロック図である。
【図２】図１の環境調整装置１の各部材の配置を概念的に示す図である。
【図３】ディスプレイ９０の合成画像表示領域９１に画像が表示された例を示す図である。
【図４】設定項目として音量が選択され、設定場所として助手席が選択された場合のディスプレイ９０の表示例である。
【図５】設定項目として温度が選択され、設定場所として助手席が選択された場合のディスプレイ９０の表示例である。
【図６】全ての座席に対する設定値を一括して調整する操作が行われた場合のディスプレイ９０の表示例である。
【図７】ＥＣＵ８０における設定値の更新処理を示すフローチャートである。
【符号の説明】
【００４２】
１：環境調整装置、      １０：ブロア、      ２０：スピーカ、      ３０：空調ユニット、      ４０：アンプ、      ５０：カメラ、      ６０：温度センサ、      ７０：画像合成機、      ８０：ＥＣＵ、      ９０：ディスプレイ（表示部）、      ９１：合成画像表示領域、      ９２：眠気波形表示領域、      ９３：レーダーチャート、      １００：操作部
【図１】
0005238971.tif 000002
【図２】
0005238971.tif 000003
【図３】
0005238971.tif 000004
【図４】
0005238971.tif 000005
【図５】
0005238971.tif 000006
【図６】
0005238971.tif 000007
【図７】
0005238971.tif 000008